(57)【特許請求の範囲】
【請求項１】
被筆記シートを支持する支持面を有し、前記支持面上に載置された被筆記シートへの筆記内容を感知可能な筆記ボードであって、
前記支持面を形成する表層板と、
前記表層板と積層されたタッチセンサであって、前記支持面上への外部導体の接触位置または接近位置を検出するためのタッチセンサと、
前記表層板と積層され面状に発光可能な面光源装置と、
前記表層板と前記面光源装置との間に配置された表示シートと、を備え、
前記表示シートには、前記支持面を複数の領域に区画する区画パターンが設けられ、
前記面光源装置が発光した状態で、前記表層板の前記支持面上に前記区画パターンが視認可能となり、前記面光源装置が発光を停止した状態で、前記区画パターンが不可視化され、
前記タッチセンサによって、外部導体が前記区画パターンで区画されたいずれの領域に接触または接近したかを検出し、
前記タッチセンサは、支持フィルムと、前記支持フィルムの一方の面上に設けられた検出電極と、前記支持フィルムの他方の面上に設けられたマット層と、を有し、
前記面光源装置は、導光板を有し、
前記タッチセンサは、前記マット層が前記導光板に接触するようにして、前記面光源装置と積層されている、筆記ボード。
【請求項２】
被筆記シートを支持する支持面を有し、前記支持面上に載置された被筆記シートへの筆記内容を感知可能な筆記ボードであって、
前記支持面を形成する表層板と、
前記表層板と積層されたタッチセンサであって、前記支持面上への外部導体の接触位置または接近位置を検出するためのタッチセンサと、
前記表層板と積層され面状に発光可能な面光源装置と、
前記表層板と前記面光源装置との間に配置された表示シートと、を備え、
前記表示シートには、前記支持面を複数の領域に区画する区画パターンが設けられ、
前記面光源装置が発光した状態で、前記表層板の前記支持面上に前記区画パターンが視認可能となり、前記面光源装置が発光を停止した状態で、前記区画パターンが不可視化され、
前記タッチセンサによって、外部導体が前記区画パターンで区画されたいずれの領域に接触または接近したかを検出し、
前記面光源装置は、導光板と、前記導光板の側方に配置された発光体と、前記導光板と積層された反射シートと、を有し、
前記反射シートは接地されている、筆記ボード。
【請求項３】
被筆記シートを支持する支持面を有し、前記支持面上に載置された被筆記シートへの筆記内容を感知可能な筆記ボードであって、
前記支持面を形成する表層板と、
前記表層板と積層されたタッチセンサであって、前記支持面上への外部導体の接触位置または接近位置を検出するためのタッチセンサと、
前記表層板と積層された裏面板と、を備え、
前記タッチセンサは、前記表層板および前記裏面板の間に配置され、前記裏面板によって形成され前記支持面と対向する裏面上への外部導体の接触位置または接近位置を検出する、筆記ボード。
【請求項４】
前記裏面を複数の領域に区画する裏面区画パターンをさらに備え、
前記タッチセンサによって、外部導体が前記裏面区画パターンで区画されたいずれの領域に接触または接近したかを検出する、請求項３に記載の筆記ボード。
【請求項５】
前記筆記ボードの姿勢を検出する姿勢検出センサをさらに備える、請求項３又は４に記載の筆記ボード。
【請求項６】
被筆記シートを支持する支持面を有し、前記支持面上に載置された被筆記シートへの筆記内容を感知可能な筆記ボードであって、
前記支持面を形成する表層板と、
前記表層板と積層されたタッチセンサであって、前記支持面上への外部導体の接触位置または接近位置を検出するためのタッチセンサと、
前記筆記内容を筆記される前記被筆記シートと、を備え、
前記被筆記シートは、前記タッチセンサで検出可能な導体を用いた見当マーカーを含む、筆記ボード。
【請求項７】
被筆記シートを支持する支持面を有し、前記支持面上に載置された被筆記シートへの筆記内容を感知可能な筆記ボードであって、
前記支持面を形成する表層板と、
前記表層板と積層されたタッチセンサであって、前記支持面上への外部導体の接触位置または接近位置を検出するためのタッチセンサと、
前記被筆記シートに筆記された筆記内容を消すための消し部材と、を備え、
前記消し部材は、前記タッチセンサで検出可能な導体を含む、筆記ボード。
【請求項８】
被筆記シートを支持する支持面を有し、前記支持面上に載置された被筆記シートへの筆記内容を感知可能な筆記ボードであって、
前記支持面を形成する表層板と、
前記表層板と積層されたタッチセンサであって、前記支持面上への外部導体の接触位置または接近位置を検出するためのタッチセンサと、
前記表層板と積層され面状に発光可能な面光源装置と、
前記表層板と前記面光源装置との間に配置された表示シートと、を備え、
前記表示シートには、前記支持面を複数の領域に区画する区画パターンが設けられ、
前記面光源装置が発光した状態で、前記表層板の前記支持面上に前記区画パターンが視認可能となるとともに、前記タッチセンサによって、外部導体が前記区画パターンで区画されたいずれの領域に接触または接近したかを検出する領域検出モードと、前記面光源装置が発光を停止した状態で、前記区画パターンが不可視化されるとともに、前記タッチセンサによって、外部導体の移動の軌跡を検出する軌跡検出モードと、に切り換え可能である、筆記ボード。
【請求項９】
前記被筆記シートへの筆記を行うための筆記具をさらに備え、
前記筆記具は、前記タッチセンサで検出可能な導体を含む、請求項１〜８のいずれかに記載の筆記ボード。
【請求項１０】
請求項１〜９のいずれかに記載の筆記ボードと、
前記筆記ボードと接続され、前記筆記内容を表示する表示装置と、を備える、表示システム。
【発明の詳細な説明】
【技術分野】
【０００１】
本発明は、被筆記シートを支持する筆記ボード、及び、この筆記ボードを有する表示システムに関する。
【背景技術】
【０００２】
従来、コンピュータ等への手書き入力を可能にする手書き入力支援装置が知られている。例えば特許文献１には、入力面を有する位置検出装置と、位置検出装置の入力面への入力を行うためのペン先を有するペン型の位置指示器と、を備えた手書き入力支援装置が示されている。
【先行技術文献】
【特許文献】
【０００３】
【特許文献１】特開２０１０−１１７９４３号公報
【発明の概要】
【発明が解決しようとする課題】
【０００４】
特許文献１に示されているような従来の手書き入力支援装置では、専用のペン型の位置指示器を用いて位置検出装置の入力面への入力を行っているため、入力面への入力の軌跡（筆跡）が視認できず、不都合が生じていた。具体的には、手書き入力中に一度ペンを入力面から離してしまうと、それまでの入力の軌跡が視認できないことから、その軌跡に対応して正確な位置へ続けて入力することが難しかった。
【０００５】
また、従来の手書き入力支援装置では、位置検出装置の入力面への入力を行うための専用のペン（ペン型の位置指示器）を必要としていた。そのため、手書き入力支援装置全体の構成の複雑化と、それによる装置のコスト上昇という問題があった。また、専用のペンを紛失すると手書き入力支援装置が使用できなくなるという問題もあった。
【０００６】
本発明は、以上の点を考慮してなされたものであり、入力軌跡を視認可能にしつつ、コンピュータ等への手書き入力を行うことができる筆記ボードを提供することを目的とする。
【課題を解決するための手段】
【０００７】
本発明による筆記ボードは、
被筆記シートを支持する支持面を有し、前記支持面上に載置された被筆記シートへの筆記内容を感知可能に構成されている。
【０００８】
本発明による筆記ボードにおいて、
前記支持面を形成する表層板と、
前記表層板と積層されたタッチセンサであって、前記支持面上への外部導体の接触位置または接近位置を検出するためのタッチセンサと、を備えてもよい。
【０００９】
本発明による筆記ボードにおいて、
前記表層板と積層され面状に発光可能な面光源装置と、
前記表層板と前記面光源装置との間に配置された表示シートと、をさらに備え、
前記表示シートには、前記支持面を複数の領域に区画する区画パターンが設けられ、
前記面光源装置が発光した状態で、前記表層板の前記支持面上に前記区画パターンが視認可能となり、前記面光源装置が発光を停止した状態で、前記区画パターンが不可視化され、
前記タッチセンサによって、外部導体が前記区画パターンで区画されたいずれの領域に接触または接近したかを検出してもよい。
【００１０】
本発明による筆記ボードにおいて、
前記タッチセンサは、支持フィルムと、前記支持フィルムの一方の面上に設けられた検出電極と、前記支持フィルムの他方の面上に設けられたマット層と、を有し、
前記面光源装置は、導光板を有し、
前記タッチセンサは、前記マット層が前記導光板に接触するようにして、前記面光源装置と積層されていてもよい。
【００１１】
本発明による筆記ボードにおいて、
前記面光源装置は、導光板と、前記導光板の側方に配置された発光体と、前記導光板と積層された反射シートと、を有し、
前記反射シートは接地されていてもよい。
【００１２】
本発明による筆記ボードにおいて、
前記表層板と積層された裏面板をさらに備え、
前記タッチセンサは、前記表層板および前記裏面板の間に配置され、前記裏面板によって形成され前記支持面と対向する裏面上への外部導体の接触位置または接近位置を検出してもよい。
【００１３】
本発明による筆記ボードにおいて、
前記裏面を複数の領域に区画する裏面区画パターンをさらに備え、
前記タッチセンサによって、外部導体が前記裏面区画パターンで区画されたいずれの領域に接触または接近したかを検出してもよい。
【００１４】
本発明による筆記ボードにおいて、
前記筆記ボードの姿勢を検出する姿勢検出センサをさらに備えてもよい。
【００１５】
本発明による筆記ボードにおいて、
前記筆記内容を筆記される前記被筆記シートをさらに備え、
前記被筆記シートは、前記タッチセンサで検出可能な導体を用いた見当マーカーを含んでもよい。
【００１６】
本発明による筆記ボードにおいて、
前記被筆記シートへの筆記を行うための筆記具をさらに備え、
前記筆記具は、前記タッチセンサで検出可能な導体を含んでもよい。
【００１７】
本発明による筆記ボードにおいて、
前記被筆記シートに筆記された筆記内容を消すための消し部材をさらに備え、
前記消し部材は、前記タッチセンサで検出可能な導体を含んでもよい。
【００１８】
本発明による表示システムは、
上述の筆記ボードと、
前記筆記ボートと接続され、前記筆記内容を表示する表示装置と、を備える。
【発明の効果】
【００１９】
本発明によれば、筆記ボードにおいて、入力軌跡を視認可能にしつつ、コンピュータ等への手書き入力を行うことができる。
【図面の簡単な説明】
【００２０】
【図１】図１は、本発明による一実施の形態を説明するための図であって、筆記ボードを概略的に示す斜視図である。
【図２】図２は、図１の筆記ボードの検出部のＡ−Ａ線に沿った断面を示す断面図である。
【図３】図３は、筆記ボードの表示シートを示す平面図である。
【図４】図４は、筆記ボードのタッチセンサを示す平面図である。
【図５】図５は、図４のタッチセンサの一部拡大図であって、タッチセンサの導電性メッシュを示す図である。
【図６】図６は、筆記ボードの変形例を示す断面図である。なお、図６に示された断面は、図１のＡ−Ａ線に沿った断面に概ね対応している。
【図７】図７は、筆記ボードに用いられる、見当マーカーを有する被筆記シートの一例を示す図である。
【図８】図８は、筆記ボードに用いられる、消しゴムの一例を示す図である。
【発明を実施するための形態】
【００２１】
以下、図面を参照して本発明の一実施の形態について説明する。なお、本件明細書に添付する図面においては、図示と理解のしやすさの便宜上、適宜縮尺および縦横の寸法比等を、実物のそれらから変更し誇張してある。
【００２２】
本明細書において、「板」、「シート」、「フィルム」の用語は、呼称の違いのみに基づいて、互いから区別されるものではない。例えば、「シート」は板やフィルムと呼ばれ得るような部材をも含む概念であり、したがって、「表示シート」は、「表示板」や「表示フィルム」と呼ばれる部材と、呼称の違いのみにおいて区別され得ない。
【００２３】
また、「シート面（板面、フィルム面）」とは、対象となるシート状（板状、フィルム状）の部材を全体的かつ大局的に見た場合において対象となるシート状部材（板状部材、フィルム状部材）の平面方向と一致する面のことを指す。
【００２４】
さらに、本明細書において用いる、形状や幾何学的条件ならびにそれらの程度を特定する、例えば、「平行」、「直交」、「同一」等の用語や長さや角度の値等については、厳密な意味に縛られることなく、同様の機能を期待し得る程度の範囲を含めて解釈することとする。
【００２５】
図１〜図６は本発明による一実施の形態を説明するための図である。このうち図１は、筆記ボードを概略的に示す図であり、図２は、筆記ボードの構成の一例を示すブロック図であり、図３は、図１の筆記ボードのＡ−Ａ線に沿った断面を示す断面図である。
【００２６】
図１及び図２に示された筆記ボード１０は、投影型の静電容量結合方式として構成され、外部導体（例えば、筆記具、人間の指等）５の接触位置を検出可能に構成された検出部２０と、検出部２０に接続された回路を収容する回路部１１とを有する。なお、静電容量結合方式の検出部２０の検出感度が優れている場合には、外部導体５が検出部２０に接近しただけで当該外部導体５が検出部２０のどの領域に接近しているかを検出することができる。このような現象にともなって、ここで用いる「接触位置」とは、実際には接触していないが位置を検出され得る接近位置を含む概念とする。
【００２７】
なお、「容量結合」方式及び「投影型」の容量結合方式との用語は、タッチセンサの技術分野で用いられる際の意味と同様の意味を有するものとして、本件においても用いている。なお、「容量結合」方式は、タッチセンサの技術分野において「静電容量」方式や「静電容量結合」方式等とも呼ばれており、本件では、これらの「静電容量」方式や「静電容量結合」方式等と同義の用語として取り扱う。典型的な静電容量結合方式のタッチセンサは電極（導電体層）を含んでおり、外部の導体がタッチセンサに接触することにより、外部の導体とタッチセンサの電極（導電体層）との間でコンデンサ（静電容量）が形成されるようになる。そして、このコンデンサの形成にともなった電気的な状態の変化に基づき、タッチセンサ上において外部導体が接触（接近）している位置の位置座標が特定（位置検出）されるようになる。
【００２８】
図１に示された筆記ボード１０の回路部１１には、検出部２０に接続された回路が収容されている。この回路には、例えば制御部及び通信部が含まれる。制御部は、ＣＰＵ（Central Processing Unit）を有し、筆記ボード１０全体の制御を行う。制御部には、必要に応じてＲＯＭ（Read Only Memory）及びＲＡＭ（Random Access Memory）が設けられ、ＲＯＭに保存されたプログラムをＲＡＭに展開して、このプログラムをＣＰＵで実行するようにしてもよい。
【００２９】
通信部は、コンピュータや表示装置等の外部装置との通信を行うためのものであり、外部装置との通信に用いられるインターフェイス装置を有している。このインターフェイス装置としては、有線ＬＡＮ（Local Area Network）、ＵＳＢ（Universal Serial Bus）接続等による接続を行うための有線接続装置、及び、無線ＬＡＮ、Ｂｌｕｅｔｏｏｔｈ（登録商標）、ＮＦＣ（Near Field Communication）、ＲＦＩＤ（Radio Frequency Identification）、赤外線等による接続を行うための無線接続装置が例示できる。
【００３０】
図１に示された筆記ボード１０は、筆記ボード１０の各部に電力を供給するための図示しない電源を有している。この電源としては、例えば、リチウムイオン電池、ニッケル水素電池等のバッテリーを挙げることができる。また、これに限らず、交流（ＡＣ）電源や太陽電池、或いはＵＳＢ端子から供給される電力を電源として用いてもよい。電源は、回路部１１及び検出部２０のいずれに収容されていてもよい。また、電源は、別体として構成されて回路部１１又は検出部２０に接続されてもよい。
【００３１】
また、図１に示された例では、筆記ボード１０の回路部１１に、切替えスイッチ１２が設けられている。切替えスイッチ１２は、検出部２０へ接触又は接近した外部導体５の移動の軌跡を検出する軌跡検出モードと、外部導体５の、後述の表示シート２２の区画パターン２２で区画されたいずれかの領域への接触又は接近を検出する領域検出モードと、を切り替えるためのスイッチである。切替えスイッチ１２としては、例えば、スライドスイッチやメンブレンスイッチ等の、ユーザが操作可能なスイッチを用いることができる。なお、切替えスイッチ１２は、回路部１１に設けられるものに限られず、検出部２０に設けられるようにしてもよい。
【００３２】
なお、筆記ボード１０には、外部導体５の軌跡データ等を保存することができる記憶装置が設けられてもよい。記憶装置としては、例えばフラッシュメモリを用いることができる。また、記憶装置として、ＵＳＢフラッシュメモリやメモリーカード等の着脱可能な外部記憶装置を用いてもよい。
【００３３】
次に、筆記ボード１０の検出部２０について説明する。図２に示された例では、筆記ボード１０の検出部２０は、被筆記シート１を支持する支持面２０ａの側から順に、表層板２１、表示シート２４、タッチセンサ３０、面光源装置４０、及び、筐体１５を有している。
【００３４】
表層板２１は、誘電体として機能する透光性を有した層である。この表層板２１は、検出部２０への入力面（タッチ面、接触面）として機能するようになる。つまり、表層板２１に外部導体（例えば、筆記具、人間の指等）５を接触（接近）させることにより、検出部２０に対して外部から情報を入力することができるようになっている。また、表層板２１は、被筆記シート１を支持する支持面２０ａをなしており、検出部２０において、表示シート２４、タッチセンサ３０及び面光源装置４０を外部から保護するカバーとしても機能する。
【００３５】
この表層板２１の支持面２０ａは、ハードコート性を有することが好ましい。このような表層板２１は、例えば、アクリル樹脂等で形成される透明支持体２３上にハードコート層２２を設けることにより作製することができる。このハードコート層２２は、ＪＩＳ  Ｋ  ５６００−５−４：１９９９で規定される鉛筆硬度試験（４．９Ｎ荷重）で「Ｈ」以上の硬度を有することが好ましい。鉛筆硬度を「Ｈ」以上とすることにより、表層板２１における耐擦傷性を向上させることができる。したがって、表層板２１が筆記具の先端等で引っ掻かれたりした際に、支持面２０ａに傷が生じることを抑制することができる。なお、透明支持体２３との密着性、靱性およびカールの防止の観点から、ハードコート層２２の鉛筆硬度の上限は「４Ｈ」とすることが好ましい。すなわち、ハードコート層２２は、ＪＩＳ  Ｋ５６００−５−４（１９９９）で規定される鉛筆硬度試験（４．９Ｎ荷重）で「Ｈ」以上「４Ｈ」以下の硬度を有することが好ましい。筆記ボード１０の検出部２０は、繰り返し押圧され高度な密着性および靱性が要求されることから、ハードコート層２２の鉛筆硬度の上限を「４Ｈ」とすることにより、ハードコート層２２を検出部２０の支持面２０ａをなす層として使用する場合に顕著な効果を発揮できる。
【００３６】
このようなハードコート層２２としては、ガラスや樹脂の層を用いることができる。例えば、フッ素樹脂、ケイ素樹脂等の熱硬化性樹脂、紫外線、電子線等の電離放射線の照射により架橋反応し硬化する、アクリル系、エポキシ系等の電離放射線硬化性樹脂、及び、電離放射線硬化性樹脂に、フッ素樹脂、ケイ素樹脂等の熱硬化性樹脂を添加したもの、等を好ましく用いることができる。
【００３７】
また、ハードコート層２２は、筆記済みの被筆記シート１を表層板２１上で裏返した際に、被筆記シート１の筆記済みの面からの黒鉛粉やインク等の付着、いわゆる裏移り、を抑制し得る材料を用いることが好ましい。さらに、裏移りが生じたとしても、付着した黒鉛粉やインク等の拭き取り除去が容易である材料を用いることが好ましい。
【００３８】
ハードコート層２２は、透明支持体２３上へ樹脂材料を塗布して加熱や電離放射線の照射等により硬化させることによって形成されてもよいし、ガラスや樹脂のシートを接着剤や粘着剤により透明支持体２３に貼着してもよい。表層板２１を、樹脂のシートを透明支持体２３に貼着することにより形成する場合、例えば、支持フィルム上に樹脂材料を塗布して加熱や電離放射線の照射等により硬化させたものを、透明支持体２３に貼着するようにしてもよい。
【００３９】
このような表層板２１は、被筆記シート１の支持性や検出部２０の薄型化の観点から、１μｍ以上５０μｍ以下の厚さを有していることが好ましい。また、ハードコート層２２は、硬度の確保及び検出部２０の薄型化の観点から、１μｍ以上１０μｍ以下の厚さを有していることが好ましい。
【００４０】
次に、表示シート２４について説明する。表示シート２４は、面光源装置４０が発光した状態で、表層板２１の支持面２０ａを介して、支持面２０ａを複数の領域に区画する区画パターン２７を視認可能とする機能を有する層である。図２に示された例では、区画パターン２７は、区画パターン２７と区別して視認されるべき領域とは異なる光透過率を有するパターンとして形成されている。図２に示された例では、表示シート２４は、着色層２５と、着色層２５の面光源装置４０側に積層された区画パターン層２６と、を有している。
【００４１】
着色層２５は、着色された層であり、例えば、白、赤、青、黄、緑、グレー、黒等の色を有した層である。好ましくは、着色層２５は白色の層を用いることができる。図示された例では、着色層２５は第１の着色材料の塗膜で形成され、表層板２１（透明支持体２３）の面光源装置４０側の面の略全面に設けられている。第１の着色材料としては、例えば顔料又は染料を含む材料を用いることができる。このような着色層２５は、例えば、表層板２１の透明支持体２３の面光源装置４０側の面上に第１の着色材料をシルク印刷することによって形成することができる。なお、着色層２５は単層からなるものに限られず、複数の層を有していてもよい。例えば、白色材料の層を２層重ねて着色層２５とすることもできる。また、着色層２５は第１の着色材料の塗膜で形成されるものに限られず、着色されたシート材を着色層２５として用いてもよい。
【００４２】
区画パターン層２６は、表示シート２４を複数の領域に区画する区画パターン２７を有している。図３は、表示シート２４の区画パターン層２６の一例を示す平面図である。図３に示された例では、区画パターン２７は、タッチセンサ３０によりタッチ位置が検出され得るアクティブエリアＡａ１内に設けられ、コンピュータ等のキーボード（乃至は鍵盤）に相当するパターンを有している。すなわち、図示された例では、表示シート２４は、区画パターン２７により複数の領域に区画され、区画された各領域が、それぞれキーボードの１つのキーをなしている。なお、区画パターン２７は、キーボードに相当するパターンに限らず、任意のパターンを有していてよい。
【００４３】
区画パターン層２６は、例えば、区画パターン２７となるべきパターンを除いて、第２の着色材料の層を形成することにより設けることができる。言い換えると、区画パターン層２６は、第２の着色材料の層に、区画パターン２７となるべきパターンで切欠き２８を形成することにより設けられている。したがって、区画パターン２７は、区画パターン層２６において、第２の着色材料の層の切欠き２８で形成されている。なお、これに限られず、区画パターン層２６は、区画パターン２７となるべきパターンに沿って第２の着色材料の層を形成することにより設けることもできる。第２の着色材料としては、例えば顔料又は染料を含む材料を用いることができる。第２の着色材料は、第１の着色材料と異なる色を有するものを用いることが好ましく、例えば、第１の着色材料として白色の材料を用いる場合には、第２の着色材料として、グレー色や黒色を有する材料を用いることができる。このような区画パターン層２６は、例えば、着色層２５の面光源装置４０側の面上に、第２の着色材料を、印刷塗布することによって形成することができる。また、区画パターン層２６は、単層からなるものに限られず、複数の層を有していてもよい。
【００４４】
このような着色層２５及び区画パターン層２６を有する表示シート２４においては、区画パターン２７の形成部分と、区画パターン２７の非形成部分とで、異なる光透過率を有する。とりわけ、区画パターン２７が、区画パターン層２６において、第２の着色材料の層の切欠き２８で形成されている場合、区画パターン２７の形成部分、すなわち第２の着色材料を有しない切欠き２８の形成部分における光透過率は、切欠き２８の非形成部分、すなわち第２の着色材料を有する部分における光透過率よりも大きい。言い換えると、区画パターン２７の形成部分、すなわち第２の着色材料を有しない切欠き２８の形成部分における透過光量は、切欠き２８の非形成部分、すなわち第２の着色材料を有する部分における透過光量よりも大きい。したがって、面光源装置４０が発光した状態での、区画パターン２７と、区画パターン２７の非形成部分と、の間の、面光源装置４０から出射した照明光の透過量の差により、区画パターン２７を、区画パターン２７の非形成部分と区別して視認することが可能となる。
【００４５】
次に、タッチセンサ３０について説明する。図４は、筆記ボード１０のタッチセンサ３０の一例を示す平面図であり、図５は、図４のタッチセンサ３０の一部拡大図であって、タッチセンサ３０の導電性メッシュ３６を示す図である。
【００４６】
タッチセンサ３０は、支持フィルム３１、第１電極（検出電極）３２、第２電極（検出電極）３３、第１取出配線３４及び第２取出配線３５を有している。図２、図４及び図５に示された例では、タッチセンサ３０は、支持フィルム３１の一方の面上に、第１電極３２、第２電極３３、第１取出配線３４及び第２取出配線３５を有している。また、これに限られず、タッチセンサ３０は、支持フィルム３１の一方の面上に、第１電極３２及び第１取出配線３４を有し、他方の面上に、第２電極３３及び第２取出配線３５を有してもよい。また、支持フィルム３１上に、第１電極３２及び第１取出配線３４を有したタッチセンサ３０と、他の支持フィルム３１上に、第２電極３３及び第２取出配線３５を有したタッチセンサ３０と、を積層してもよい。
【００４７】
図２、図４及び図５に示された例では、支持フィルム３１は、電極３２，３３及び取出配線３４，３５を支持し、且つ、タッチパネルセンサ３０において誘電体としても機能し得る。図４及び図５に示すように、支持フィルム３１は、タッチ位置を検出され得る領域に対応するアクティブエリアＡａ１と、アクティブエリアＡａ１に隣接する非アクティブエリアＡａ２と、を含んでいる。
【００４８】
支持フィルム３１は、例えば、ポリエチレンテレフタレート、ポリエチレンナフタレート等のポリエステル樹脂、ポリメチルメタクリレート等のアクリル樹脂、ポリプロピレン等のポリオレフィン樹脂、トリアセチルセルロース（三酢酸セルロース）等のセルロース系樹脂、ポリカーボネート樹脂などからなる樹脂シート、ガラス、セラミックス等からなる無機材等、誘電体として機能し得る材料を用いることができる。また、電極３２，３３及び取出配線３４，３５の保持性及び検出部２０の薄型化の観点から、このような支持フィルム３１の厚さは、２０ｍｍ以上２００ｍｍ以下とすることができる。
【００４９】
図４に示されているように、第１電極３２は、位置検出に用いられ、アクティブエリアＡａ１内に配置される、複数の第１検知電極３２ａを含んでいる。とりわけ図示された例では、第１電極３２は、支持フィルム３１の第１方向（Ｘ）に沿って延び、第２方向（Ｙ）に沿って配列された複数の第１検知電極３２ａを含んでいる。また、第２電極３３は、位置検出に用いられ、アクティブエリアＡａ１内に配置される、複数の第２検知電極３３ａを含んでいる。とりわけ図示された例では、第２電極３３は、第２基材３６の第２方向（Ｙ）に沿って延び、第１方向（Ｘ）に沿って配列された複数の第２検知電極３３ａを含んでいる。各検知電極３２ａ，３３ａは、一例として、以下に説明するような導電性細線３７からなる導電性メッシュ３６によって形成されるが、図４では、図示の簡略化のために、各検知電極３２ａ，３３ａが配置される領域を単純な矩形で示している。また、図４及び図５では、第１電極３２及び第１取出配線３４と、第２電極３３及び第２取出配線３５とを、区別して理解しやすくするため、第１電極３２及び第１取出配線３４を実線で示し、第２電極３３及び第２取出配線３５を破線で示している。
【００５０】
検知電極３２ａ，３３ａは、外部導体５が検知部２０に接近した際に生じる、電磁的な変化又は静電容量の変化を検知するために設けられるものである。検知電極３２ａ，３３ａは、例えば、金属材料が、所定の線幅及び厚さで形成された導電性細線３７からなる導電性メッシュ３６で構成することができる。なお、これに限られず、検知電極３２ａ，３３ａは、ＩＴＯ（酸化インジウムスズ）等の透明導電膜を用いて形成されてもよい。
【００５１】
取出配線３４，３５は、検知電極３２ａ，３３ａの各々に対し、接触位置の検出方法に応じて１つ又は２つ設けられている。各取出配線３４，３５は、対応する検知電極３２ａ，３３ａに接続されて配線を形成している。図４に示された例では、取出配線３４，３５は、支持フィルム３１の非アクティブエリアＡａ２内を、対応する検知電極３２ａ，３３ａから支持フィルム３１の端縁付近まで延びている。また、図示された例では、取出配線３４，３５は、図示しない接続配線（例えば、フレキシブルプリント基板）を介して、上述の制御部に接続される端子部３４ａ，３５ａを含んでいる。
【００５２】
図５に示された例において、電極３２，３３は、それぞれ導電性メッシュ３６を含んでいる。とりわけ図示された例では、各検知電極３２ａ，３３ａが、それぞれ導電性メッシュ３６を含んでいる。導電性メッシュ３６は、多数の導電性細線３７により多数の開口領域３８が画成されるメッシュ状の材料である。とりわけ、図示された例では、導電性メッシュ３６は、多数の導電性細線３７で格子状のメッシュが形成され、これにより、多数の矩形の開口領域３８が画成されている。
【００５３】
以上のような、電極３２，３３及び取出配線３４，３５は、例えば、蒸着法、スパッタリング法、箔の転写、塗工法等により、金、銀、銅、白金、錫、アルミニウム、クロム、モリブデン、ニッケル、チタン、パラジウム、インジウム、及び、これらの金属の１種以上を含む合金の一以上を含有する金属膜を支持フィルム３１上に形成し、この金属膜を所望のパターンでエッチングすることによって形成することができる。
【００５４】
次に、面光源装置４０について説明する。面光源装置４０は、面状に光を発光し、表示シート２４を背面側（支持面２０ａに対面する側と反対の側）から照明する装置である。図２に示すように、面光源装置４０は、エッジライト型の面光源装置として構成され、導光板４１と、導光板４１の側方に配置された発光体４５と、を有している。また、面光源装置４０は、導光板４１の表示シート２４に対面する側と反対の側に積層された反射シート４６も有している。
【００５５】
図２に示された例では、導光板４１は、一対の平行な主面を有する平板状の部材として構成されている。導光板４１は、表示シート２４側の主面によって構成された出光面４２と、出光面４２に対向するもう一方の主面からなる裏面４３と、出光面４２および裏面４３の間を延びる側面と、を有している。そして、導光板４１の側面の一部分によって入光面４４が形成され、この入光面４４に対向して発光体４５が配置されている。また、側面の一部分によって入光面４４に対向する反対面（図示せず）も形成され、入光面４４から導光板４１に入射した光は、概ね、入光面４４と、入光面４４に対向する反対面と、を結ぶ導光方向ｄ１に沿って導光板４１内を導光されるようになる。
【００５６】
図２に示された例では、導光板４１の裏面４３には、光を拡散させる機能を有した図示しない光拡散要素が設けられている。導光板４１の側面をなす入光面４４から導光板４１内に入射した光は、板状の導光板の一対の主面をなす出光面４２および裏面４３での反射を繰り返し、とりわけ、導光板４１の本体部をなす材料と導光板４１に隣接する空気との屈折率差に起因した全反射を繰り返して、入光面４４から導光板４１の内部へ導光されていく。そして、導光板４１内を進む光が、裏面４３のうちの光拡散要素が形成されている領域に入射すると、当該光は光拡散要素によって進行方向を変化させられる。結果として、全反射臨界条件を満たさない条件で、導光板４１の出光面４２へ入射し得るようになり、導光板４１から出光面４２を介して出射するようになる。すなわち、光拡散要素は、導光板４１の内部から光を取り出すための要素として機能する。
【００５７】
具体的な構成として、例えば、光拡散性粒子を含有したインクを樹脂製板材（導光板４１の本体部をなす部材）の一方の主面に所望のパターンで印刷することにより、光拡散要素が所望のパターンで裏面４３に形成された導光板４１を作製することができる。このような導光板４１は、印刷導光板と呼ばれ、インクを細かいドットとして印刷することにより、光拡散要素を所望の密度で分散させて導光板４１の裏面４３に形成することができる。
【００５８】
導光板４１の側方に配置された発光体４５は、ＬＥＤ（発光ダイオード）や冷陰極管等の種々の態様で構成され得る。例えば、発光体４５は、導光板４１の入光面４４の長手方向に沿って、並べて配置された多数のＬＥＤによって構成され得る。
【００５９】
反射シート４６は、光を反射する機能を有した部材である。導光板４１内を進む光は、出光面４２だけでなく、裏面４３を介して導光板４１から出射することもある。反射シート４６は、導光板４１の裏面４３から出射した光を反射して、再び導光板４１内に入射させるための部材である。すなわち、反射シート４６は、発光体４５からの光を有効利用するための部材である。反射シート４６は、白色の散乱反射シート、金属等の高い反射率を有する材料からなるシート、高い反射率を有する材料からなる薄膜（例えば金属薄膜）を表面層として含んだシート等から、構成され得る。例えば、反射シート４６として、アルミニウムからなるシートを用いることができる。
【００６０】
なお、導光板４１の出光面４２上、すなわち出光面４２の表示シート２４側、に、プリズムシート、拡散フィルム、偏光選択フィルム等の、特定の機能を発揮することを期待された層が配置されてもよい。
【００６１】
図１及び図２に示された例では、筆記ボード１０は、上述の制御部、通信部及び電源、並びに、検知部２０の表層板２１、表示シート２４、タッチセンサ３０及び面光源装置４０を収容する筐体１５を有している。この筐体１５は、例えば、ＡＢＳ樹脂やポリカーボネート樹脂等の樹脂材料から構成され得る。
【００６２】
また、筆記ボード１０に、上述の通信部を介して液晶ディスプレイ等の表示装置を接続することにより、筆記ボード１０の支持面２０ａ上に載置された被筆記シート１への筆記内容を、表示装置に表示する表示システムを構築することが可能である。この表示システムは、例えば、表示装置と接続されたコンピュータに、筆記ボード１０を有線接続又は無線接続し、筆記ボード１０と表示装置とをコンピュータを介して接続するようにすることもできる。
【００６３】
次に、筆記ボード１０の動作について説明する。
【００６４】
（軌跡検出モード）
切替えスイッチ１２を操作し、動作モードを軌跡検出モードに切り替える。軌跡検出モードでは、面光源装置４０は発光を停止し、表示シート２４の区画パターン２７は不可視化される。制御部は、軌跡検出モードにおいて、タッチセンサ３０により、支持面２０ａへ接触又は接近した筆記具等の外部導体５を検出すると、タッチセンサ３０で当該外部導体５の支持面２０ａ上の位置を連続的に検知し、外部導体５の移動の軌跡のデータを取得する。例えば、検出部２０の支持面２０ａ上に被筆記シート１を載置し、筆記具６で被筆記シート１に文字や図形等を筆記すると、タッチセンサ３０で筆記具６の移動の軌跡のデータを取得する。筆記ボード１０が表示装置と接続されている場合、筆記具６の移動の軌跡のデータを当該表示装置へリアルタイム（実時間処理）で送信することにより、筆記具６で被筆記シート１に筆記した内容が表示装置に表示される。また、筆記具６の移動の軌跡のデータを、フラッシュメモリ等の記憶装置に記憶するようにしてもよい。
【００６５】
被筆記シート１としては、紙等の任意の絶縁性のシートを用いることができる。とりわけ市販の用紙を用いることができる。なお、被筆記シート１の全体が絶縁性である必要はなく、被筆記シート１の一部が導電性を有していてもよい。
【００６６】
筆記具６としては、被筆記シート１に接触する先端部又は先端部近傍にタッチセンサ３０で検出可能な導体を有する筆記具を用いることができる。タッチセンサ３０は、このような筆記具６の先端部又は先端部近傍に設けられた導体を検知して、当該筆記具６の移動の軌跡を取得することができる。ここで、「先端部近傍」とは、筆記具の先端部から５ｍｍ以内の範囲を指す。先端部に導体を有する筆記具６としては、鉛筆、ボールペン、万年筆等を例示することができる、鉛筆は、先端部に黒鉛で形成された芯を有しており、この芯が導体をなす。先端部に金属部材を有するボールペンや万年筆においては、この金属部材が導体をなす。先端部近傍に導体を有する筆記具６としては、先端部近傍に金属部材を有する種々の筆記具を好適に用いることができる。
【００６７】
（領域検出モード）
切替えスイッチ１２を操作し、動作モードを領域検出モードに切り替える。動作モードを領域検出モードに切り替わると、面光源装置４０が発光し、面光源装置４０と積層された表示シート２４が背面側（支持面２０ａに対面する側と反対の側）から照明される。表示シート２４は、区画パターン２７を有しており、区画パターン２７は、区画パターン２７と区別して視認されるべき領域とは異なる光透過率を有するパターンとして形成されている。したがって、表示シート２４が背面側から照明されると、区画パターン２７と、区画パターン２７の非形成部分と、の間の透過光量の差により、区画パターン２７を、区画パターン２７の非形成部分と区別して視認することが可能となる。
【００６８】
制御部は、領域検出モードにおいて、タッチセンサ３０により、支持面２０ａへ接触又は接近した人間の指等の外部導体５を検出すると、タッチセンサ３０で当該外部導体５の支持面２０ａ上の位置を検知し、この支持面２０ａ上の位置に対応して、外部導体５が区画パターン２７で区画されたいずれの領域に接触または接近したかを検出する。とりわけ、図３を参照して説明したように、区画パターン２７が、コンピュータ等のキーボードに相当するパターンを有している場合、外部導体５の支持面２０ａ上の位置に対応して、外部導体５が、区画パターン２７で区画されたキーボードの、複数のキーのうちのどのキーに対応する領域に接触または接近したかを検出する。これにより、支持面２０ａのいずれかの位置への外部導体５の接触又は接近を、複数のキーを有するキーボードのいずれかのキーへの入力に対応させて検知することができる。
【００６９】
なお、領域検出モードで検出される外部導体５は、人間の指に限られず、スタイラス（タッチペン）や上述の筆記具６であってもよい。
【００７０】
以上のように、本実施の形態の筆記ボード１０は、被筆記シート１を支持する支持面２０ａを有し、支持面２０ａ上に載置された被筆記シート１への筆記内容を感知可能に構成されている。これにより、支持面２０ａ上に載置された被筆記シート１上の筆記の軌跡を視認しつつ、コンピュータ等への手書き入力を行うことができる。とりわけ、手書き入力中に一度筆記具６を被筆記シート１から離してしまっても、それまでの筆記の軌跡が被筆記シート１上で視認できることから、その軌跡に対応して正確な位置へ続けて入力することが可能となる。
【００７１】
また、本実施の形態の筆記ボード１０は、支持面２０ａを形成する表層板２１と、表層板２１と積層されたタッチセンサ３０であって、支持面２０ａ上への外部導体５の接触位置又は接近位置を検出するためのタッチセンサ３０と、を備えている。これにより、タッチセンサ３０を用いて、支持面２０ａ上への外部導体５の接触位置又は接近位置を、高速かつ正確に検知することができる。
【００７２】
さらに、本実施の形態の筆記ボード１０は、表層板２１と積層され面状に発光可能な面光源装置４０と、表層板２１と面光源装置４０との間に配置された表示シート２４と、をさらに備え、表示シート２４には、支持面２０ａを複数の領域に区画する区画パターン２７が設けられ、面光源装置４０が発光した状態で、表層板２１の支持面２０ａ上に区画パターン２７が視認可能となり、面光源装置４０が発光を停止した状態で、区画パターン２７が不可視化され、タッチセンサ３０によって、外部導体５が区画パターン２７で区画されたいずれの領域に接触または接近したかを検出する。これにより、筆記ボード１０は、上述の軌跡検出モードと領域検出モードとを実行することができ、筆記ボード１０をコンピュータ等のキーボードとしても用いることができる。また、面光源装置４０が発光を停止した状態では区画パターン２７が不可視化されているので、軌跡検出モードにおいて、支持面２０ａ上に載置された紙等の被筆記シート１へ筆記する際に、被筆記シート１を通して区画パターン２７が視認され、筆記を阻害することを防止することができる。
【００７３】
なお、上述した実施の形態に対して様々な変更を加えることが可能である。以下、図面を適宜参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。
【００７４】
図６は、筆記ボード１０の検出部２０の変形例を示す断面図である。図６に示された断面は、図１のＡ−Ａ線に沿った検出部２０の断面に概ね対応している。
【００７５】
図６に示された例では、筆記ボード１０は、検出部２０の支持面２０ａへの法線方向に表層板２１と積層され、支持面２０ａと対向する裏面２０ｂを形成する裏面板５０を有する。なお、筆記ボード１０の筐体１５における、支持面２０ａへの法線方向に表層板２１と積層された部分が、裏面板５０をなすようにしてもよい。
【００７６】
裏面板５０は、誘電体として機能する層である。この裏面板５０は、検出部２０への入力面（タッチ面、接触面）として機能するようになる。つまり、裏面板５０に外部導体（例えば、人間の指等）５を接触（接近）させることにより、検出部２０に対して外部から情報を入力することができるようになっている。また、裏面板５０は、外部導体５が接触する裏面２０ｂをなしており、検出部２０において、タッチセンサ３０を外部から保護するカバーとしても機能する。
【００７７】
この裏面板５０の裏面２０ｂは、ハードコート性を有することが好ましい。このような裏面板５０は、例えば、アクリル樹脂等で形成される支持体５１上にハードコート層５２を設けることにより作製することができる。このハードコート層５２は、上述のハードコート層２２と同様の材料を用いて形成することができる。なお、図６に示された例では、裏面板５０の支持体５１は、透光性を有した部材である必要はなく、樹脂やガラス等、種々の材料を用いて形成され得る。
【００７８】
図６に示された例では、筆記ボード１０は、裏面２０ｂを複数の領域に区画する裏面区画パターン５３を有している。図示された例では、裏面区画パターン５３は、裏面板５０の支持体５１とハードコート層５２との間に設けられている。また、これに限られず、裏面区画パターン５３は、ハードコート層５２の支持体５１と反対側の面（裏面２０ｂ）上に設けられてもよいし、支持体５１が透光性を有する材料で形成されている場合には、支持体５１における支持面２０ａ側の面上に設けられてもよい。さらに、裏面区画パターン５３は、裏面板５０と別体に設けられてもよい。また、裏面区画パターン５３は、例えば、図３を参照して説明した区画パターン２７と同様のパターンを有するパターンとすることができる。このような裏面区画パターン５３は、例えば、裏面板５０の支持体５１のいずれかの面上に、第３の着色材料を、印刷塗布することによって形成することができる。第３の着色材料としては、例えば顔料又は染料を含む材料を用いることができる。また、裏面区画パターン５３は、単層からなるものに限られず、複数の層を有していてもよい。
【００７９】
表層板２１と裏面板５０との間には、タッチセンサ３０が配置されている。タッチセンサ３０は、支持面２０ａ上への外部導体５の接触位置または接近位置を検出することができるとともに、裏面２０ｂ上への外部導体５の接触位置または接近位置をも検出することができるようになっている。
【００８０】
図６に示された例では、筆記ボード１０は、筆記ボード１０の姿勢を検出する図示しない姿勢検出センサを有している。この姿勢検出センサは、筆記ボード１０の支持面２０ａ及び裏面２０ｂのどちらが上（重力の向きと反対の向き）を向いているかを検出するセンサである。このような姿勢検出センサとしては、例えば加速度センサ等を用いることができる。
【００８１】
さらに、図６に示された例では、姿勢検出センサで検出された筆記ボード１０の姿勢に基づいて、制御部が、軌跡検出モードと領域検出モードとを自動的に切り替えるようにすることができる。例えば、姿勢検出センサにより筆記ボード１０の支持面２０ａが上を向いたことが検出された場合には軌跡検出モードに切り替え、裏面２０ｂが上を向いたことが検出された場合には領域検出モードに切り替えるようにすることができる。
【００８２】
次に、図６に示された筆記ボード１０の動作について説明する。
【００８３】
（軌跡検出モード）
姿勢検出センサにより、筆記ボード１０の支持面２０ａが上を向いたことが検出されると、制御部は、動作モードを軌跡検出モードに切り替える。制御部は、軌跡検出モードにおいて、タッチセンサ３０により、支持面２０ａへ接触又は接近した筆記具等の外部導体５を検出すると、タッチセンサ３０で当該外部導体５の支持面２０ａ上の位置を連続的に検知し、外部導体５の移動の軌跡のデータを取得する。例えば、検出部２０の支持面２０ａ上に被筆記シート１を載置し、筆記具６で被筆記シート１に文字や図形等を筆記すると、タッチセンサ３０で筆記具６の移動の軌跡のデータを取得する。筆記ボード１０が表示装置と接続されている場合、筆記具６の移動の軌跡のデータを当該表示装置へリアルタイムに送信することにより、筆記具６で被筆記シート１に筆記した内容が表示装置に表示される。また、筆記具６の移動の軌跡のデータを、フラッシュメモリ等の記憶装置に記憶するようにしてもよい。なお、被筆記シート１及び筆記具６としては、上述の実施の形態で説明したものと同様の被筆記シート及び筆記具を用いることができる。
【００８４】
（領域検出モード）
姿勢検出センサにより、筆記ボード１０の裏面２０ｂが上を向いたことが検出されると、制御部は、動作モードを領域検出モードに切り替える。制御部は、領域検出モードにおいて、タッチセンサ３０により、裏面２０ｂへ接触又は接近した人間の指等の外部導体５を検出すると、タッチセンサ３０で当該外部導体５の裏面２０ｂ上の位置を検知し、この裏面２０ｂ上の位置に対応して、外部導体５が裏面区画パターン５３で区画されたいずれの領域に接触または接近したかを検出する。とりわけ、裏面区画パターン５３が、図３に示したような、コンピュータ等のキーボードに相当するパターンを有している場合、外部導体５の裏面２０ｂ上の位置に対応して、外部導体５が、裏面区画パターン５３で区画されたキーボードの、複数のキーのうちのどのキーに対応する領域に接触または接近したかを検出する。これにより、裏面２０ｂのいずれかの位置への外部導体５の接触又は接近を、複数のキーを有するキーボードのいずれかのキーへの入力に対応させて検知することができる。
【００８５】
このような筆記ボード１０の変形例によれば、裏面区画パターン５３を不可視化することなく、軌跡検出モードにおいて、支持面２０ａ上に載置された被筆記シート１へ筆記する際に、被筆記シート１を通して裏面区画パターン５３が視認されることによって筆記が阻害されることを防止することができる。また、これにより、面光源装置４０を省くことができるので、筆記ボード１０の薄型化、軽量化及びコストダウンを図ることができる。
【００８６】
他の変形例として、被筆記シート１として、タッチセンサ３０で検出可能な導体を用いた見当マーカー６０を含む被筆記シート１を用いることができる。図７に、見当マーカー６０を含む被筆記シート１の例を示す。図示された例では、被筆記シート１の各隅部に、見当マーカー６０が設けられている。このような見当マーカー６０を含む被筆記シート１を用いた場合、タッチセンサ３０で見当マーカー６０を検出することにより、被筆記シート１の支持面２０ａ上の配置位置や配置角度を検知することができる。したがって、被筆記シート１が移動した際に、被筆記シート１の支持面２０ａ上の移動距離及び角度を算出することができる。これにより、被筆記シート１への筆記中に被筆記シート１が支持面２０ａ上で移動したとしても、被筆記シート１の移動後の筆記の軌跡を、被筆記シート１の移動距離及び角度で補正することによって、被筆記シート１の移動前と移動後の筆記の軌跡を整合させることができる。このタッチセンサ３０で検出可能な導体としては、金属材料を含むものを用いることができる。
【００８７】
なお、見当マーカー６０の形状、配置および個数は、図７に示したものに限られない。例えば見当マーカー６０の形状は、円形に限られず、三角形、四角形、鉤型、環状等、他の形状でも良い。見当マーカー６０の配置は、隅部に限られず、被筆記シート１の各辺に沿った位置（各辺の中央近傍等）や、被筆記シート１の中心等、他の位置に配置してもよい。また、見当マーカー６０の個数も４つに限られない。ただし、被筆記シート１の配置位置及び角度を正確に検出する観点から、見当マーカー６０は２つ以上設けることが好ましい。さらに、見当マーカー６０を３つ以上設けることにより、被筆記シート１の表裏を判別することも可能になる。
【００８８】
さらに他の変形例として、被筆記シート１に筆記された筆記内容を消すための、消しゴム等の消し部材に、タッチセンサ３０で検出可能な導体を含むようにすることができる。図７（ａ）及び図７（ｂ）に、タッチセンサ３０で検出可能な導体７２を含む消し部材７０の例を示す。図７（ａ）は、図７（ｂ）のａ−ａ線に沿った断面を示し、図７（ｂ）は、図７（ａ）のｂ−ｂ線に沿った断面を示している。図７に示された例では、消し部材７０は、被筆記シート１に筆記された筆記内容を消すための円柱状の消しゴム７１の周囲に設けられた、タッチセンサ３０で検出可能な導体７２を含んでいる。このような導体７２を含む消し部材７０の消しゴム７１で、検出部２０の支持面２０ａ上の被筆記シート１に筆記された筆記内容を消すと、タッチセンサ３０が導体７２の位置及び軌跡を検出し、この位置及び軌跡に対応した消去軌跡データを作成する。この消去軌跡データを表示装置に送信することにより、表示装置上の対応する筆記の軌跡を消すことができる。また、筆記具６の移動の軌跡のデータが記憶装置に記憶されている場合、この消去軌跡データを当該記憶装置に書き込むこともできる。なお、このタッチセンサ３０で検出可能な導体７２としては、金属材料を含むものを用いることができる。また、タッチセンサ３０で検出可能な導体を含む消し部材としては、図７に示したものに限られず、消し部材自体が導体の粉末等を含むものであってもよい。例えば、消しゴム自体に金属粉末が分散されたものであってもよい。
【００８９】
さらに他の変形例として、タッチセンサ３０として、支持フィルム３１の一方の面上に検出電極３２，３３が設けられ、支持フィルム３１の他方の面上にマット層が設けられたものを用い、タッチセンサ３０を、マット層が面光源装置４０の導光板４１に接触するようにして、面光源装置４０と積層することができる。このマット層としては、例えば、バインダー樹脂と、バインダー樹脂によって保持された粒子と、を有し、マット層の表面（支持フィルム３１と反対側の面）には、この粒子の存在に起因した凹凸面が形成されている、ものを用いることができる。このようなマット層は、バインダー樹脂中に粒子が分散された材料を支持フィルム３１の他方の面上に塗布し、バインダー樹脂を硬化させることによって形成することができる。このようなタッチセンサ３０によれば、タッチセンサ３０と面光源装置４０の導光板４１とが、タッチセンサ３０のマット層に形成された凹凸面の凸部のみで接触するようになる。したがって、タッチセンサ３０と導光板４１との光学密着による、輝度分布の不均一化や干渉縞の発生等を回避することができる。斯かる光学密着防止の為には、当該凹凸面の凸部（乃至突起）のマット層の粒子不在箇所の表面からの突出高さは、ＪＩＳ  Ｂ０６０１（１９９４年）規定の１０点平均粗さＲｚが可視光線の最大波長である０．７８μｍ以上となるようにすることが好ましい。さらに好ましくは、該突出高さはＲｚが０．８μｍ〜１０μｍの範囲とされる。斯かるマット層の材料、構成、及び形成方法については、特許第３５１８５５４号公報、特許第３９６８１５５号公報等に開示の如き公知の材料、構成、及び形成方法を適用すれば良い。
【００９０】
さらに他の変形例として、面光源装置４０の反射シート４６は、接地（アース）されていてもよい。筆記ボード１０を、金属部材を有する机やテーブルに載置すると、この金属部材の存在によってタッチセンサ３０の検出電極における静電容量が変化し、支持面２０ａや裏面２０ｂ上の外部導体５の位置を正確に検出できない場合がある。一方、面光源装置４０の反射シート４６が金属層を含むように構成し、反射シート４６を接地することにより、この反射シート４６が静電シールドの役割を果たし、机やテーブルの金属部材による、タッチセンサ３０の検出電極の静電容量の変化を抑制することができる。
【００９１】
さらに他の変形例として、筆記ボード１０には、被筆記シート１を固定するための、クリップ等の固定手段が設けられてもよい。
【００９２】
さらに他の変形例として、筆記ボード１０のタッチセンサ３０は、投影型の静電容量結合方式に変えて抵抗膜方式で構成されていても良い。
【００９３】
また、筆記ボード１０には、バッテリーに充電するための充電口が設けられていてもよい。
【００９４】
なお、以上において上述した実施の形態に対するいくつかの変形例を説明してきたが、当然に、複数の変形例を適宜組み合わせて適用することも可能である。
【００９５】
以上に説明した筆記ボード１０は、業務用途、教育用途、個人用途等、様々の用途に用いることができる。
【００９６】
業務用途としては、会議等において、筆記ボード１０の支持面２０ａ上で紙に書いたメモを、同時にスクリーンやディスプレイ等の表示装置に表示する用途等に用いることができる。
【００９７】
教育用途としては、筆記ボード１０の支持面２０ａ上で生徒が紙に書いた内容をスクリーンやディスプレイ等の表示装置に表示する用途等に用いることができる。とりわけ、紙に印刷された課題（試験問題）への各生徒の回答を教師側のディスプレイに表示するようにすると、各生徒の課題の進行状況をモニターしたり、課題の進行に応じてリアルタイムに採点したりすることが可能となる。
【００９８】
個人用途としては、筆記ボード１０を手帳の下敷きとして用いると、手帳の用紙に筆記した内容を筆記ボード１０の記憶装置に保存しておき、記憶装置に保存された筆記内容を後でコンピュータ等で読みだすことができる。また、手帳の用紙に筆記した内容をリアルタイムにコンピュータに送信することもできる。
【符号の説明】
【００９９】
１    被筆記シート
５    外部導体
６    筆記具
１０  筆記ボード
１１  回路部
１２  切替えスイッチ
１５  筐体
２０  検出部
２０ａ  支持面
２１  表層板
２２  ハードコート層
２３  透明支持体
２４  表示シート
２５  着色層
２６  区画パターン層
２７  区画パターン
３０  タッチセンサ
３１  支持フィルム
３２  第１電極（検出電極）
３３  第２電極（検出電極）
４０  面光源装置
４１  導光板
４５  発光体
４６  反射シート
５０  裏面板
５１  支持体
５２  ハードコート層
５３  裏面区画パターン
６０  見当マーカー
７０  消し部材
７１  消しゴム
７２  導体
【図１】
0006500556.tif 000002
【図２】
0006500556.tif 000003
【図３】
0006500556.tif 000004
【図４】
0006500556.tif 000005
【図５】
0006500556.tif 000006
【図６】
0006500556.tif 000007
【図７】
0006500556.tif 000008
【図８】
0006500556.tif 000009